(57)【特許請求の範囲】
【請求項１】
階層セルラーシステムが、
マクロセルのためのマクロセル専用リソースの使用率と、前記マクロセル及び少なくとも１つの小型セルのための共有リソースの使用率とを認識するステップと、
前記マクロセル専用リソースの使用率と前記共有リソースの使用率とに基づいて前記マクロセル専用リソース及び前記共有リソースを調整するステップと、
前記マクロセル及び前記少なくとも１つの小型セルに前記調整されたマクロセル専用リソース及び前記共有リソースを割り当てるステップとを有し、
前記マクロセルが前記共有リソースを用いる前に、前記マクロセルは、前記共有リソースの使用計画を前記少なくとも１つの小型セルに通知し、
前記マクロセル専用リソース及び前記共有リソースを調整するステップは、前記マクロセル専用リソースが増加する場合に前記共有リソースの量を減少させ、前記マクロセル専用リソースが減少する場合に前記共有リソースの量を増加させるステップを含むことを特徴とする階層セルラーシステムのためのリソース割り当て方法。
【請求項２】
前記少なくとも１つの小型セルは、前記共有リソースの使用計画に基づいて前記少なくとも１つの小型セルによって支配される（ｓｅｒｖｅｄ）端末に前記共有リソースを割り当てることを特徴とする請求項１に記載の階層セルラーシステムのためのリソース割り当て方法。
【請求項３】
前記少なくとも１つの小型セルは、前記共有リソースの使用計画に基づいて前記共有リソース内から前記マクロセルによって使用されないリソースを把握し、前記把握された共有リソース内の前記マクロセルによって使用されないリソースを前記少なくとも１つの小型セルによって支配される端末に割り当てることを特徴とする請求項１に記載の階層セルラーシステムのためのリソース割り当て方法。
【請求項４】
前記共有リソースのうち、前記マクロセルによって使用されるリソースが前記少なくとも１つの小型セルによって支配される端末に繰り返して割り当てられる場合、前記マクロセル及び前記少なくとも１つの小型セルは干渉を制御するにために、送信電力制御スキーム、干渉制御スキーム、及びマルチアンテナ送信スキームの内から少なくとも１つを用いることを特徴とする請求項１に記載の階層セルラーシステムのためのリソース割り当て方法。
【請求項５】
前記少なくとも１つの小型セルは、前記少なくとも１つの小型セルによって支配される端末のうち、相対的に高い移動度を有する端末に、前記共有リソース内の前記マクロセルによって使用されないリソースを割り当て、前記少なくとも１つの小型セルによって支配される端末のうち、相対的に低い移動度を有する端末に前記共有リソース内の前記マクロセルによって使用されるリソースを割り当てることを特徴とする請求項１に記載の階層セルラーシステムのためのリソース割り当て方法。
【請求項６】
前記マクロセル専用リソース又は前記共有リソースの少なくとも一つは、前記マクロセルによって支配される端末の移動度に基づいて前記マクロセルによって支配される端末に割り当てられることを特徴とする請求項１に記載の階層セルラーシステムのためのリソース割り当て方法。
【請求項７】
前記マクロセル専用リソースは前記マクロセルによって支配される端末のうち相対的に高い移動度を有する端末に割り当てられ、前記共有リソースは前記マクロセルによって支配される端末のうち相対的に低い移動度を有する端末に割り当てられることを特徴とする請求項１に記載の階層セルラーシステムのためのリソース割り当て方法。
【請求項８】
前記マクロセルが前記共有リソースを用いる前に、前記マクロセルは予め設定された周期ごとに前記共有リソースの使用計画を前記少なくとも１つの小型セルに通知することを特徴とする請求項１に記載の階層セルラーシステムのためのリソース割り当て方法。
【請求項９】
前記マクロセル及び前記少なくとも１つの小型セルは、同一の周波数リソースを用いることを特徴とする請求項１に記載の階層セルラーシステムのためのリソース割り当て方法。
【請求項１０】
前記少なくとも１つの小型セルは、前記マクロセルのカバー領域（ｃｏｖｅｒａｇｅ）と重複するカバー領域を有し、フェムトセル又はピコセルのうちいずれか１つであることを特徴とする請求項１に記載の階層セルラーシステムのためのリソース割り当て方法。
【請求項１１】
マクロセルのためのマクロセル専用リソースの使用率と、前記マクロセル及び少なくとも１つの小型セルのための共有リソースの使用率とを認識するステップと、
前記マクロセル専用リソースの使用率と前記共有リソースの使用率とに基づいて前記マクロセル専用リソース及び前記共有リソースを調整するステップと、
前記マクロセル及び前記少なくとも１つの小型セルに前記調整されたマクロセル専用リソース及び前記共有リソースを割り当てるステップとを有し、
前記マクロセルが前記共有リソースを用いる前に、前記マクロセルは、前記共有リソースの使用計画を前記少なくとも１つの小型セルに通知し、
前記マクロセル専用リソース及び前記共有リソースを調整するステップは、前記マクロセル専用リソースが増加する場合に前記共有リソースの量を減少させ、前記マクロセル専用リソースが減少する場合に前記共有リソースの量を増加させるステップを含む階層セルラーシステムのためのリソース割り当て方法を行うためのプログラムが記録されたことを特徴とするコンピュータで読み出し可能な記録媒体。
【請求項１２】
マクロセルのためのマクロセル専用リソースの使用率と、前記マクロセル及び少なくとも１つの小型セルのための共有リソースの使用率とを認識する認識部と、
前記マクロセル専用リソースの使用率と前記共有リソースの使用率とに基づいて前記マクロセル専用リソース及び前記共有リソースを調整する調整部と、
前記マクロセル及び前記少なくとも１つの小型セルに前記調整されたマクロセル専用リソース及び前記共有リソースを割り当てる割当部とを有し
前記マクロセルが前記共有リソースを用いる前に、前記マクロセルは、前記共有リソースの使用計画を前記少なくとも１つの小型セルに通知し、
前記マクロセル専用リソース及び前記共有リソースを調整するステップは、前記マクロセル専用リソースが増加する場合に前記共有リソースの量を減少させ、前記マクロセル専用リソースが減少する場合に前記共有リソースの量を増加させるステップを含むことを特徴とするリソース割り当てのためのコーディネータ。
【請求項１３】
前記共有リソースのうち前記マクロセルによって使用されるリソースが前記少なくとも１つの小型セルによって支配される端末に繰り返して割り当てられる場合、前記マクロセル及び前記少なくとも１つの小型セルは、干渉を制御するにために、送信電力制御スキーム、干渉制御スキーム、及びマルチアンテナ技術の内から少なくとも１つを用いることを特徴とする請求項１２に記載のリソース割り当てのためのコーディネータ。
【請求項１４】
階層セルラーシステムにおける送信フレームに応じて通信を実行する通信装置において、
前記送信フレームは、与えられた無線リソースがマクロセルのためのマクロセル専用リソースと、前記マクロセル及び少なくとも１つの小型セルのための共有リソースとの内の一つに分類される場合、前記共有リソースの使用計画に関連するコントロールメッセージを含むコントロールゾーンを含み、
前記マクロセルは、前記コントロールメッセージを用いて前記マクロセルの前記共有リソースの使用計画を前記少なくとも１つの小型セルに通知し、前記少なくとも１つの小型セルは、前記マクロセルの前記共有リソースの使用計画に基づいて前記少なくとも１つの小型セルによって支配される端末に前記共有リソースを割り当て、
前記送信フレームは、前記マクロセルのデータ通信のための少なくとも１つのサブフレーム及び前記少なくとも１つの小型セルのデータ通信のための少なくとも１つのサブフレームを含むアクセスゾーンをさらに含み、
前記マクロセルのデータ通信のための少なくとも１つのサブフレームのそれぞれは、前記マクロセル専用リソースと前記共有リソースとの内の前記マクロセルのために割り当てられたリソースに対するマップ情報を含み、
前記少なくとも１つの小型セルのデータ通信のための少なくとも１つのサブフレームのそれぞれは、前記共有リソースのうち前記少なくとも１つの小型セルのためにスケジュールされたリソースに対するマップ情報を含むことを特徴とする通信装置。
【請求項１５】
前記少なくとも１つの小型セルのデータ通信のための少なくとも１つのサブフレームは、
前記少なくとも１つの小型セルのネットワーク情報と前記少なくとも１つの小型セルの同期情報の内の少なくとも１つを含むことを特徴とする請求項１４に記載の通信装置。
【請求項１６】
前記コントロールゾーンは、前記マクロセルのネットワーク情報と前記マクロセルの同期情報の内の少なくとも１つをさらに含むことを特徴とする請求項１４に記載の通信装置。
【請求項１７】
前記マクロセル専用リソース及び前記共有リソースは、前記マクロセル専用リソースの使用率及び前記共有リソースの使用率に基づいて調整されることを特徴とする請求項１４に記載の通信装置。
【請求項１８】
前記送信フレームは、予め設定された周期ごとに前記コントロールゾーンを含むことを特徴とする請求項１４に記載の通信装置。
【発明の詳細な説明】
【技術分野】
【０００１】
本発明は、階層セルシステムのためのリソース割り当てに関し、特に階層セルシステムに属する複数のセルが同一の周波数を使用する場合の無線リソースを割り当てる技術に関する。
【背景技術】
【０００２】
データ送信率及び通信の信頼度を向上させるために複数の送／受信ペアを含む通信システムに関する研究が進められている。
このとき、周波数の効率を向上させるために複数の送／受信ペアは同一の周波数リソースを用いることがある。
【０００３】
ただし、複数の送／受信ペアが同一の周波数リソースを使用する場合、複数の送／受信ペアの間には干渉が発生する場合がある。しかし、近年、行われている様々な研究は、複数の送／受信ペアの干渉チャネル情報を共有することによって上記の干渉量を減らしたり除去する。
【０００４】
また、最近ではピコセル、フェムトセルのような小型セルを運用することによって、ネットワーク容量を増加させるための技術が開発されている。
小型セルが周辺のマクロセルの周波数リソースと同一の周波数リソースを使用する場合、小型セルの送／受信ペアとマクロセルの送／受信ペアとの間で干渉が発生する場合がある。
このような干渉は周波数の効率の増加を制限し、かえって通信の信頼度を減少させる原因になりかねない。また、干渉チャネル情報を継続的に共有及びアップデートすることによって、そのような干渉処理は通信システムのオーバーヘッドを増加させる恐れがある。
【０００５】
したがって、周波数の効率を向上しつつ通信システムのオーバーヘッドを減らすことができるように小型セルおよびマクロセルを制御できる技術、小型セルおよびマクロセルに最適の（ｏｐｔｉｍｉｚｅｄ）リソースを割り当てる技術に関する研究が求められている。
【発明の概要】
【課題を解決するための手段】
【０００６】
本発明の一態様によれば、階層セルラーシステムのためのリソース割り当て方法は、マクロセルのためのマクロセル専用リソースの使用率と、前記マクロセル及び少なくとも１つの小型セルのための共有リソースの使用率とを認識するステップと、前記マクロセル専用リソースの使用率と前記共有リソースの使用率とに基づいて前記マクロセル専用リソース及び前記共有リソースを調整するステップと、前記マクロセル及び前記少なくとも１つの小型セルに前記調整されたマクロセル専用リソース及び前記共有リソースを割り当てるステップとを有する。
【０００７】
前記マクロセルが前記共有リソースを用いる前に、前記マクロセルは、前記共有リソースの使用計画を前記少なくとも１つの小型セルに通知することが好ましい。
前記少なくとも１つの小型セルは、前記共有リソースの使用計画に基づいて前記少なくとも１つの小型セルによって支配される（ｓｅｒｖｅｄ）端末に前記共有リソースを割り当てることが好ましい。
前記少なくとも１つの小型セルは、前記共有リソースの使用計画に基づいて前記共有リソース内から前記マクロセルによって使用されないリソースを把握し、前記把握された共有リソース内の前記マクロセルによって使用されないリソースを前記少なくとも１つの小型セルによって支配される端末に割り当てることが好ましい。
前記共有リソースのうち、前記マクロセルによって使用されるリソースが前記少なくとも１つの小型セルによって支配される端末に繰り返して割り当てられる場合、前記マクロセル及び前記少なくとも１つの小型セルは干渉を制御するにために、送信電力制御スキーム、干渉制御スキーム、及びマルチアンテナ送信スキームの内から少なくとも１つを用いることが好ましい。
前記少なくとも１つの小型セルは、前記少なくとも１つの小型セルによって支配される端末のうち、相対的に高い移動度を有する端末に、前記共有リソース内の前記マクロセルによって使用されないリソースを割り当て、前記少なくとも１つの小型セルによって支配される端末のうち、相対的に低い移動度を有する端末に前記共有リソース内の前記マクロセルによって使用されるリソースを割り当てることが好ましい。
前記マクロセル専用リソース又は前記共有リソースの少なくとも一つは、前記マクロセルによって支配される端末の移動度に基づいて前記マクロセルによって支配される端末に割り当てられることが好ましい。
前記マクロセル専用リソースは前記マクロセルによって支配される端末のうち相対的に高い移動度を有する端末に割り当てられ、前記共有リソースは前記マクロセルによって支配される端末のうち相対的に低い移動度を有する端末に割り当てられることが好ましい。
前記マクロセル専用リソース及び前記共有リソースを調整するステップは、前記マクロセル専用リソースが増加する場合に前記共有リソースの量を減少させ、前記マクロセル専用リソースが減少する場合に前記共有リソースの量を増加させるステップを含むことが好ましい。
前記マクロセルが前記共有リソースを用いる前に、前記マクロセルは予め設定された周期ごとに前記共有リソースの使用計画を前記少なくとも１つの小型セルに通知することが好ましい。
前記マクロセル及び前記少なくとも１つの小型セルは、同一の周波数リソースを用いることが好ましい。
前記少なくとも１つの小型セルは、前記マクロセルのカバー領域（ｃｏｖｅｒａｇｅ）と重複するカバー領域を有し、フェムトセル又はピコセルのうちいずれか１つであることが好ましい。
【０００８】
本発明の他の一態様によれば、ソース割り当てのためのコーディネータは、マクロセルのためのマクロセル専用リソースの使用率と、前記マクロセル及び少なくとも１つの小型セルのための共有リソースの使用率とを認識する認識部と、前記マクロセル専用リソースの使用率と前記共有リソースの使用率とに基づいて前記マクロセル専用リソース及び前記共有リソースを調整する調整部と、前記マクロセル及び前記少なくとも１つの小型セルに前記調整されたマクロセル専用リソース及び前記共有リソースを割り当てる割当部とを有する。
【０００９】
前記マクロセルが前記共有リソースを用いる前に、前記マクロセルは、前記共有リソースの使用計画を前記少なくとも１つの小型セルに通知することが好ましい。
前記共有リソースのうち前記マクロセルによって使用されるリソースが前記少なくとも１つの小型セルによって支配される端末に繰り返して割り当てられる場合、前記マクロセル及び前記少なくとも１つの小型セルは、干渉を制御するにために、送信電力制御スキーム、干渉制御スキーム、及びマルチアンテナ技術の内から少なくとも１つを用いることが好ましい。
【００１０】
本発明のさらに他の一態様によれば、通信装置は、階層セルラーシステムにおける送信フレームに応じて通信を実行する通信装置において、前記送信フレームは、与えられた無線リソースがマクロセルのためのマクロセル専用リソースと、前記マクロセル及び少なくとも１つの小型セルのための共有リソースとの内の一つに分類される場合、前記共有リソースの使用計画に関連するコントロールメッセージを含むコントロールゾーンを含む。
【００１１】
前記マクロセルは、前記コントロールメッセージを用いて前記マクロセルの前記共有リソースの使用計画を前記少なくとも１つの小型セルに通知し、前記少なくとも１つの小型セルは、前記マクロセルの前記共有リソースの使用計画に基づいて前記少なくとも１つの小型セルによって支配される端末に前記共有リソースを割り当てることが好ましい。
前記送信フレームは、前記マクロセルのデータ通信のための少なくとも１つのサブフレーム及び前記少なくとも１つの小型セルのデータ通信のための少なくとも１つのサブフレームを含むアクセスゾーンをさらに含み、前記マクロセルのデータ通信のための少なくとも１つのサブフレームのそれぞれは、前記マクロセル専用リソースと前記共有リソースとの内の前記マクロセルのために割り当てられたリソースに対するマップ情報を含み、前記少なくとも１つの小型セルのデータ通信のための少なくとも１つのサブフレームのそれぞれは、前記共有リソースのうち前記少なくとも１つの小型セルのためにスケジュールされたリソースに対するマップ情報を含むことが好ましい。
前記少なくとも１つの小型セルのデータ通信のための少なくとも１つのサブフレームは、前記少なくとも１つの小型セルのネットワーク情報と前記少なくとも１つの小型セルの同期情報の内の少なくとも１つを含むことが好ましい。
前記コントロールゾーンは、前記マクロセルのネットワーク情報と前記マクロセルの同期情報の内の少なくとも１つをさらに含むことが好ましい。
前記マクロセル専用リソース及び前記共有リソースは、前記マクロセル専用リソースの使用率及び前記共有リソースの使用率に基づいて調整されることが好ましい。
前記送信フレームは、予め設定された周期ごとに前記コントロールゾーンを含むことが好ましい。
【発明の効果】
【００１２】
本発明に係る階層セルラーシステムのためのリソース割り当て方法並びにコーディネータ及び通信装置は、マクロセル専用リソース及び共有リソースの使用率に基づきマクロセル専用リソース及び共有リソースを適応的に調整することによって、周波数の効率を向上させることができる効果があり、
与えられた無線リソースからマクロセルのためのマクロセル専用リソースを別に確保することによって、マクロセルと小型セルとの間の干渉を減らすことができる効果があり、
マクロセルが共有リソースを使用する場合、共有リソースの使用計画を小型セルに通知することによって、干渉を減らすと共に周波数の効率を向上させることができる効果があり、
また、コントロールメッセージを含むことによって、共有リソースに対するマクロセルの使用計画を効率よく小型セルに通知することができる効果がある。
【図面の簡単な説明】
【００１３】
【図１】従来技術の階層セルラーシステムを示す図である。
【図２】複数の送／受信ペアの間で干渉を処理する技術を説明するための図である。
【図３】本発明の実施形態に係るマクロセル専用リソース及び共有リソースの適用を示すリソースオーバータイムのグラフを含む図である。
【図４】図３のタイムセクションを示す図である。
【図５】本発明の一実施形態に係るリソース割り当て方法を示す動作フローチャートである。
【図６】本発明の一実施形態に係るダウンリンクにおける送信フレームを示す図である。
【図７】本発明の一実施形態に係るアップリンクにおける送信フレームを示す図である。
【図８】本発明の一実施形態に係る送信フレームを示す図である。
【図９】本発明の一実施形態に係るコーディネータを示すブロック図である。
【発明を実施するための形態】
【００１４】
以下、本発明に係る実施形態を添付する図面を参照しながら詳説する。
図１は、階層セルラーシステムの限定されない例を示し、本発明の実施形態に係るリソース割り当て方法及び送信フレームが適用される。
図１を参照すると、階層セルシステムは、マクロセル１１０及びピコセル１２０、１３０を含む。
ここで、ピコセル１２０、１３０は小型セルの一例であり、フェムトセルやマイクロセルに代替されてもよい。
【００１５】
ここでいう小型セルは、複数の小型セルを含み、小型セルは、ピコセル、フェムトセル、マイクロセルなどであり、小型セルは、小型セルのカバー領域内に位置する１つ以上の端末を支配する（ｓｅｒｖｅ）。
端末は、多様な移動度を有する。
本例において、例えば、移動端末のような相対的に高い移動度の端末は、相対的に移動性が有能である。また、固定端末のような相対的に低い移動度の端末は、相対的に固定されている。
【００１６】
マクロセル１１０は、マクロ基地局（マクロ−ＢＳ）を含み、マクロ基地局（マクロ−ＢＳ）は、マクロセル１１０のカバー領域に属する端末（ＵＥ、ＵＥ  Ａ、ＵＥ  Ｂ）を支配（ｓｅｒｖｅ）する。また、ピコセル１２０のピコ基地局Ａ（ピコ−ＢＳ  Ａ）は、端末Ａ（ＵＥ  Ａ）を支配し、ピコセル１３０のピコ基地局Ｂ（ピコ−ＢＳ  Ｂ）は端末Ｂ（ＵＥ  Ｂ）を支配する。
【００１７】
端末（ＵＥ）はマクロセル１１０のカバー領域内に属する一方、ピコセル１２０、１３０のカバー領域内には属しないため、端末（ＵＥ）に関連してマクロセル１１０とピコセル１２０、１３０との間の干渉は大きくないのであろう。ただし、端末Ａ（ＵＥ  Ａ）はマクロセル１１０のカバー領域及びピコセル１２０のカバー領域の全てに属し、端末Ｂ（ＵＥ  Ｂ）はマクロセル１１０のカバー領域及びピコセル１３０のカバー領域の全てに属するため、端末Ａ（ＵＥ  Ａ）及び端末Ｂ（ＵＥ  Ｂ）に関連してマクロセル１１０とピコセル１２０、１３０との間の干渉は大きくなり得る。
特に、マクロセル１１０とピコセル１２０、１３０が同一の周波数リソースを使用する場合、干渉が発生しないように無線リソースを割り当てたり、干渉を適切に処理することのできる技術が求められる。
【００１８】
下記で詳説するが、本発明の一実施形態に係る階層セルラーシステムは、与えられた無線リソースをマクロセル１１０のためのマクロセル専用リソースとマクロセル１１０とピコセル１２０、１３０の全てのための共有リソースに分類されうる。すなわち、マクロセル専用リソースはマクロセル１１０のためのものとして、ピコセル１２０、１３０によって使用されず、共有リソースはマクロセル１１０とピコセル１２０、１３０の全てによって使用され得る無線リソースである。
【００１９】
マクロ基地局（マクロ−ＢＳ）は、マクロセル専用リソース又は共有リソースを用いて端末Ａ（ＵＥ  Ａ）と通信でき、一方、ピコ基地局Ａ（ピコ−ＢＳ  Ａ）は共有リソースを用いて端末Ａ（ＵＥ  Ａ）と通信しうる。
このとき、ピコ基地局Ａ（ピコ−ＢＳ  Ａ）は、共有リソースのうちマクロ基地局（マクロ−ＢＳ）によって使用される部分をマクロ基地局（マクロ−ＢＳ）と共に用いてもよく、共有リソースのうちマクロ基地局（マクロ−ＢＳ）によって使用されない部分を用いてもよく、ピコ基地局Ａ（ピコ−ＢＳ  Ａ）とマクロ基地局（マクロ−ＢＳ）は同時に共有リソースを使用してもよい。
【００２０】
ここには、マクロセル専用リソース及び共有リソースを適応的に調節すること、マクロセル専用リソース及び共有リソースの割り当て、マクロセルが用いた共有リソースの使用計画のピコセル１２０、１３０への通知などの多様な形態が含まれる。
【００２１】
また、本発明の一実施形態に係る階層セルラーシステムは、マクロセル専用リソース及び共有リソースの使用率をモニタリングしながら、マクロセル専用リソースと共有リソースを適応的に調整することができる。例えば、マクロセル専用リソースの使用率が高くて、共有リソースの使用率が低い場合、与えられた無線リソース内でマクロセル専用リソースの量は増加して共有リソースの量は減少する。
【００２２】
ピコ基地局Ａ（ピコ−ＢＳ  Ａ）とマクロ基地局（マクロ−ＢＳ）が同一周波数リソースを使用する時、ピコ基地局Ａ（ピコ−ＢＳ  Ａ）及びマクロ基地局（マクロ−ＢＳ）は干渉を処理したり防止する技術、例えば、送信電力制御スキーム、干渉制御スキーム、マルチアンテナ送信技術スキーム、等を用いることができる。
【００２３】
図１に示した階層セルラーシステムは例示であり、上述したことを限定するものではない。システムは、１つ以上のマクロセル及び１つ以上の小型セルを含み得、例えば、１つ以上のピコセル、１つ以上のフェムトセル、１つ以上のマイクロセル、１つ以上のナノセル、及びこれらの組み合わせなどを含み得る。
【００２４】
＜干渉を処理したり防止する技術＞
図２は、複数の送／受信ペアの間で干渉を処理する技術を説明するための図である。
限定されない例として、図２を参照すると、ソースノード１（Ｓ１）と目的ノード１（Ｄ１）の第１ペア、ソースノード２（Ｓ２）と目的ノード２（Ｄ２）の第２ペア、ソースノード３（Ｓ３）と目的ノード３（Ｄ３）の第３ペアが送／受信ペアを構成している。
【００２５】
ここで、ソースノードそれぞれは「送信機」（例えば、セルラーシステムのダウンリンクにおいて基地局又は中継機であり、アップリンクにおいて端末又は中継機）を意味し、目的ノードそれぞれは「受信機」（例えば、セルラーシステムのダウンリンクにおいて端末又は中継機であり、アップリンクにおいて基地局又は中継機）を意味する。
【００２６】
このとき、ソースノードそれぞれが同一の周波数リソースを用いてデータを送信する場合、目的ノードそれぞれには干渉が発生する可能性がある。
すなわち、目的ノードＤ１でソースノードＳ１から受信した信号は所望する信号であり、ソースノードＳ２、Ｓ３から受信した信号は干渉である。
同様に、目的ノードＤ２、Ｄ３でも干渉が発生する可能性があり、このような干渉は通信システムのスループットを減少させる原因となる。
【００２７】
ただ、干渉によるスループットの減少は干渉を処理したり防止する技術を適切に用いることによって改善され得る。
ここで、干渉を処理したり防止する技術は、干渉制御スキーム、送信電力制御スキーム、マルチアンテナ送信スキームなどを含む。
【００２８】
以下では、干渉を処理したり防止する技術の代表的な例である干渉制御スキーム及び送信電力制御スキームについて簡略に説明する。
ここで、干渉制御スキームは、干渉整列（ａｌｉｇｎｍｅｎｔ）スキーム、干渉雑音化スキーム、干渉中和スキーム、及びこれらの組み合わせなどの様々な形態に実現され得る。
【００２９】
干渉整列スキームによると、ソースノードそれぞれは、目的ノードそれぞれにおける干渉が整列するよう適切にプリコーディングマトリックスを設計して使用し、目的ノードそれぞれも干渉を整列して除去するための適切な復号化マトリックスを使用する。
このとき、プリコーディングマトリックス及び復号化マトリックスは、目的ノードの干渉チャネル情報に基づいて算出される。
ここで、目的ノード１（Ｄ１）の干渉チャネルはソースノード２（Ｓ２）と目的ノード１（Ｄ１）との間のチャネル、ソースノード３（Ｓ３）と目的ノード１（Ｄ１）との間のチャネルを意味し、目的ノード２（Ｄ２）の干渉チャネルはソースノード１（Ｓ１）と目的ノード２（Ｄ２）との間のチャネル、ソースノード３（Ｓ３）と目的ノード２（Ｄ２）との間のチャネルを意味する。同様に、目的ノード３（Ｄ３）の干渉チャネルはソースノード１（Ｓ１）と目的ノード３（Ｄ３）との間のチャネル、ソースノード２（Ｓ２）と目的ノード３（Ｄ３）との間のチャネルを意味する。
【００３０】
送／受信ペアが干渉整列スキームを用いるために、目的ノードそれぞれは干渉チャネルに関する情報の干渉チャネル情報をソースノードにフィードバックする。
このとき、ソースノードは、干渉整列スキームを適用するために目的ノードの干渉チャネル情報を共有する。
ここで、干渉整列スキームは、干渉信号の位相が反対になる（１８０°異なる）ようにソースノードの送信信号を制御する干渉中和を含む概念を含む。
【００３１】
干渉雑音化スキームは、目的ノードそれぞれの干渉信号の強度が小さくなるようにソースノードの送信信号を生成する方式である。
例えば、干渉雑音化スキームは、干渉信号の和の大きさが所定のレベル以下になるか、干渉信号の和の大きさが所望する信号の大きさに比べて相対的に小さくなるように送信信号を生成する。
【００３２】
干渉中和スキームは、干渉信号が互いに反対位相（１８０°異なる）を有するように送信信号の位相を制御する。すなわち、干渉中和スキームによると、目的ノードは互いに反対位相を有する干渉信号を１つの干渉信号であると看做す。
【００３３】
送信電力制御スキームは、干渉チャネルの利得に基づいて干渉信号の強度を調整する。
特に、送信電力制御スキームは、周波数に従う干渉チャネルの利得と所望する信号に対応するチャネルの利得とに基づいてソースノードそれぞれの送信電力を制御することによって通信システムのスループットを向上させる。
ここで、送信電力制御スキームの代表的な例としては、動的スペクトル管理（Ｄｙｎａｍｉｃ  Ｓｐｅｃｔｒｕｍ  Ｍａｎａｇｅｍｅｎｔ）方法がある。
【００３４】
マルチアンテナ送信技術スキームによると、ソースノードは適切に設計されたビームフォーミングマトリックス（ベクトル）又はプリコーディングマトリックス（ベクトル）を用いて所望する信号が所定の目的ノードに集中するようにビームフォーミングを行う。
したがって、目的ノードそれぞれは少ない干渉で所望する信号を抽出することができ、また、目的ノードは受信ビームフォーミングを行ったり、巧みに設計された空間フィルタ（ｓｐａｔｉａｌ  ｆｉｌｔｅｒ）を用いることによって干渉を減らすことができる。
【００３５】
＜マクロセル専用リソースと共有リソースの適応的調整＞
図３は、マクロセル専用リソース及び共有リソースの割り当て及びリソース割り当てオーバータイムのグラフを含む図である。
マクロセル専用リソース及び共有リソースは、１つ以上の端末に出力される。
【００３６】
図３に示すように、階層セルラーシステムは、１つのマクロ基地局を含む１つのマクロセル及び１つのピコ基地局を含む１つのピコセルを含むものと仮定する。
そして、マクロ基地局を含むマクロセルのカバー領域は、ピコ基地局を含むピコセルのカバー領域を含む。また、実施形態としてセルラーシステムは１つ以上の小型セルのカバー領域又はカバー領域の一部を含むカバー領域を有する１つ以上のマクロセルを有する。
【００３７】
図３に示す、時間によるマクロセル専用リソース及び共有リソースを示すグラフを参照すると、マクロセルのみのための無線リソースであるマクロセル専用リソースをＲＭａｃｒｏとし、マクロセル及びピコセル全てのための無線リソースである共有リソースをＲＳｈａｒｅｄとする。
ここで、Ａはマクロセル専用リソースＲＭａｃｒｏを示し、Ｂは共有リソースＲＳｈａｒｅｄのうちマクロセルによって使用される無線リソースを、Ｃは共有リソースＲＳｈａｒｅｄのうちマクロセルによって使用されない無線リソースを示す。
そして、Ｘはマクロセル専用リソースＲＭａｃｒｏ及び共有リソースＲＳｈａｒｅｄの境界を示す線である。
【００３８】
Ｘのレベルが時間に応じて変わることが確認できるように、マクロ基地局（またはマクロセル）は周期的にマクロセル専用リソースＲＭａｃｒｏの使用率と共有リソースＲＳｈａｒｅｄの使用率をチェックし、チェックの結果に基づいてマクロセル専用リソースＲＭａｃｒｏ及び共有リソースＲＳｈａｒｅｄを適応的に調整する。
すなわち、最初の３つの時間区間の間は、マクロセル専用リソースＲＭａｃｒｏ及び共有リソースＲＳｈａｒｅｄは一定に維持され、４番目の時間区間でマクロセル専用リソースＲＭａｃｒｏは減少する一方、共有リソースＲＳｈａｒｅｄは増加し、７番目の時間区間でマクロセル専用リソースＲＭａｃｒｏは増加する一方、共有リソースＲＳｈａｒｅｄは減少することが分かる。
【００３９】
例えば、マクロセル専用リソースＲＭａｃｒｏの使用率が共有リソースＲＳｈａｒｅｄの使用率よりも相対的に高い場合、マクロ基地局（またはマクロセル）はマクロセル専用リソースＲＭａｃｒｏを増加させ、共有リソースＲＳｈａｒｅｄは減少させてもよい。
反対に、マクロセル専用リソースＲＭａｃｒｏの使用率が共有リソースＲＳｈａｒｅｄの使用率よりも相対的に低い場合、マクロ基地局（またはマクロセル）はマクロセル専用リソースＲＭａｃｒｏを減少させ、共有リソースＲＳｈａｒｅｄは増加させてもよい。
【００４０】
また、マクロ基地局（またはマクロセル）は、相対的に高い移動度を有する端末にマクロセル専用リソースＲＭａｃｒｏを割り当て、相対的に低い移動度を有する端末に共有リソースＲＳｈａｒｅｄのうちマクロセルによって使用される無線リソースであるＢを割り当ててもよい。
その理由は、マクロセルによって使用される無線リソースであるＢで、上記した干渉を処理したり防止する技術を適用することができるが、上記の技術は相対的に低い移動度を有する端末にさらに適用され得るためである。また、共有リソースＲＳｈａｒｅｄのうち、マクロセルによって使用される無線リソースであるＢも時間に応じて変化することがある。
【００４１】
また、マクロ基地局（またはマクロセル）は、共有リソースＲＳｈａｒｅｄを用いる前に共有リソースＲＳｈａｒｅｄのうち、マクロセルによって使用される無線リソースであるＢに対する使用計画をピコ基地局（またはピコセル）に通知する。
このとき、ピコ基地局（またはピコセル）は、共有リソースＲＳｈａｒｅｄのうちマクロセルによって使用される無線リソースであるＢに対するマクロセルの使用計画に基づいて共有リソースＲＳｈａｒｅｄを適切にピコ基地局（またはピコセル）の端末に割り当てる。
【００４２】
ピコ基地局（またはピコセル）は、干渉が発生しないように共有リソースＲＳｈａｒｅｄのうちマクロセルによって使用されない無線リソースであるＣをピコ基地局（またはピコセル）の端末に割り当ててもよい。
このような場合、マクロ基地局（またはマクロセル）とピコ基地局（ピコセル）は互いに異なる無線リソースを用いるため、上記した干渉を処理したり防止する技術が適用されないことがある。
【００４３】
ただし、ピコ基地局（またはピコセル）は、共有リソースＲＳｈａｒｅｄのうちマクロセルによって使用される無線リソースであるＢをピコ基地局（またはピコセル）の端末に割り当ててもよい。
このような場合、共有リソースＲＳｈａｒｅｄのうちマクロセルによって使用される無線リソースであるＢは、マクロ基地局（またはマクロセル）及びピコ基地局（またはピコセル）の両方によって使用されるため、干渉を処理したり防止する技術を適用する必要がある。また、このような場合、ピコ基地局（またはピコセル）は干渉を処理したり防止する技術を効率よく適用するため相対的に低い移動度を有する端末にマクロセルによって使用される無線リソースであるＢを割り当て、相対的に高い移動度を有する端末にマクロセルによって使用されない無線リソースであるＣを割り当ててもよい。
【００４４】
また、マクロ基地局及びピコ基地局は、有線又は無線に接続され、共有リソースＲＳｈａｒｅｄのうちマクロセルによって使用される無線リソースであるＢに対するマクロセルの使用計画に関連する情報を送／受信してもよい。
図６〜図８に関連して説明される送信フレームに従って、無線に接続されるマクロ基地局とピコ基地局も共有リソースＲＳｈａｒｅｄのうちマクロセルによって使用される無線リソースであるＢに対するマクロセルの使用計画に関連する情報を効率よく送／受信される。
【００４５】
＜端末の移動度に基づいたマクロセル専用リソースと共有リソースの割り当て＞
図４は、図３のグラフのリソース割り当てのタイムセクションを示す図であり、端末の移動度に応じてマクロセル専用リソース及び共有リソースを端末に割り当てることを含む。
図４を参照すると、Ａはマクロセル専用リソースＲＭａｃｒｏを示し、Ｂは共有リソースＲＳｈａｒｅｄのうちマクロセルによって使用される無線リソースを、Ｃは共有リソースＲＳｈａｒｅｄのうちマクロセルによって使用されない無線リソースである。
【００４６】
マクロセル専用リソースＲＭａｃｒｏ及び共有リソースＲＳｈａｒｅｄの調整が完了すると、マクロセル及びピコセルはマクロセル専用リソースＲＭａｃｒｏ及び共有リソースＲＳｈａｒｅｄを適切に割り当てる。
マクロセルはマクロセル専用リソースＲＭａｃｒｏのみを用いても、共有リソースＲＳｈａｒｅｄのみを用いても、その両方を用いても良い。
ただし、マクロセルが共有リソースＲＳｈａｒｅｄを使用する場合、マクロセルは相対的に高い移動度を有する端末にＡ（マクロセル専用リソースＲＭａｃｒｏ）を割り当て、相対的に低い移動度を有する端末にＢ（共有リソースＲＳｈａｒｅｄのうちマクロセルによって使用される無線リソース）を割り当てる。
【００４７】
また、ピコセルは、共有リソースＲＳｈａｒｅｄのうちマクロセルによって使用されない無線リソースＣのみを用いてもよい。
ただし、ピコセルがＢ（共有リソースＲＳｈａｒｅｄのうちマクロセルによって使用される無線リソース）を使用する場合、ピコセルは干渉を処理したり防止する技術が適用されるよう低い移動度を有する端末にＢ（共有リソースＲＳｈａｒｅｄのうちマクロセルによって使用される無線リソース）を割り当てる。ピコセル及び／又はマクロセルは、干渉を処理したり防止する技術が適用される。
【００４８】
図５は、本発明の一実施形態に係るリソース割り当て方法を示す動作フローチャートである。
図５を参照すると、ステップ５１０において、本発明の一実施形態に係るリソース割り当て方法は、マクロセルのためのマクロセル専用リソースとマクロセル及び少なくとも１つの小型セルのための共有リソースの使用率を認識する。
【００４９】
次に、本発明の一実施形態に係るリソース割り当て方法は、マクロセル専用リソースＲＭａｃｒｏ及び共有リソースＲＳｈａｒｅｄの使用率に基づき、マクロセル専用リソースＲＭａｃｒｏ及び共有リソースＲＳｈａｒｅｄを調整する（ステップ５２０）。
次に、本発明の一実施形態に係るリソース割り当て方法は、マクロセルにマクロセル専用リソースＲＭａｃｒｏを割り当てる（ステップ５３０）。
次に、本発明の一実施形態に係るリソース割り当て方法は、必要な場合、マクロセルに共有リソースＲＳｈａｒｅｄを割り当てる（ステップ５４０）。
次にステップ５５０において、本発明の一実施形態に係るリソース割り当て方法は、マクロセルに割り当てられた共有リソースＲＳｈａｒｅｄの使用計画を小型セル（例えば、ピコセル、フェムトセル）に通知する。
【００５０】
図６は、本発明の一実施形態に係るダウンリンクにおける送信フレームを示す図である。
図６を参照すると、ダウンリンクにおける送信フレームはコントロールゾーン（Ｃｏｎｔｒｏｌ  Ｚｏｎｅ）及びアクセスゾーン（Ａｃｃｅｓｓ  Ｚｏｎｅ）を含む。
ダウンリンクにおいて、マクロ基地局の送信フレームに含まれるコントロールゾーンはマクロセルのＭＡＰ情報（ａ）、マクロセルのネットワーク情報と同期情報（ｂ）、及びコントロールメッセージ（ｃ）を含む。
すなわち、本発明の一実施形態によると、コントロールメッセージ（ｃ）は、マクロセルのネットワーク情報と同期情報（ｂ）と共にコントロールゾーンに含まれてもよい。
【００５１】
マクロセルのＭＡＰ情報（ａ）はマクロセル専用リソースと共有リソースのうちマクロセルのために割り当てられたリソースに対するスケジューリング情報を含み、マクロセルの端末はマクロセルのＭＡＰ情報（ａ）に基づいてダウンリンクのためにスケジュールされたリソースを把握する。
【００５２】
また、マクロセルのネットワーク情報はマクロセルに接続するために必要な情報（例えば、マクロセルのＩＤ）であり、マクロセルの同期情報はマクロセルに適用される時間同期に関する情報である。
そして、図６に示すように、マクロセルの端末は、コントロールゾーンでマクロ基地局からネットワーク情報と同期情報（ｂ）を受信して把握する。
【００５３】
また、ダウンリンクにおいて、マクロ基地局の送信フレームに含まれるアクセスゾーンは複数のサブフレーム（ｓｕｂｆｒａｍｅ）を含み、複数のサブフレームそれぞれはマクロセルのＭＡＰ情報（ａ）を含む。
ここで、マクロ基地局は、複数のサブフレームで端末とデータ通信（ダウンリンク通信）を行って、１つのサブフレームは１回で送受信されるスケジューリング情報（又はＭＡＰ情報）を用いて基地局と端末間でデータ通信を行う区間である。１つのサブフレームは、０．１、１、５、１０ｍｓなどの様々な時間の長さを有する。
【００５４】
コントロールゾーンに含まれるコントロールメッセージ（ｃ）は、送信フレーム内で予め設定された時間周期ごとにマクロセルから放送（ｂｒｏａｄｃａｓｔ）される。
特に、コントロールメッセージ（ｃ）を含むコントロールゾーンは、サブフレームの定数倍の単位で繰り返される。
すなわち、図６において、コントロールゾーンは、送信フレーム内で５個のサブフレームごとに繰り返されることが確認される。
【００５５】
コントロールメッセージ（ｃ）は共有リソースに対するマクロセルの使用計画に関連する情報を含む。
すなわち、コントロールメッセージ（ｃ）は、マクロセルが共有リソースのうち、いずれの周波数リソースを使用する予定であるか、いつ共有リソースを使用する予定であるかに関する情報を含む。より具体的には、コントロールメッセージ（ｃ）は、アクセスゾーンに含まれるサブフレームそれぞれで共有リソースに対するマクロセルの使用計画に関する情報を含む。
【００５６】
コントロールゾーンにおいて、ピコ基地局は受信機モードで動作する。
このとき、ピコ基地局はマクロ基地局から円滑に情報を受信するためにマクロセルのネットワーク情報と同期情報（ｂ）を周期的に受信する。
また、ピコ基地局はマクロ基地局から送信されたコントロールメッセージ（ｃ）に基づいて共有リソースに対するマクロセルの使用計画を把握する。
【００５７】
また、ピコ基地局は共有リソースに対するマクロセルの使用計画に基づいて該当端末に対して共有リソースを割り当てる。
このとき、ピコ基地局は割り当てられた共有リソースに対するＭＡＰ情報（ｄ）を生成し、ピコ基地局のアクセスゾーンに含まれるサブフレームそれぞれからＭＡＰ情報（ｄ）をピコ基地局の端末に送信する。ピコ基地局の端末は、ＭＡＰ情報（ｄ）に基づいて割り当てられた共有リソースを把握する。
このとき、ピコセルのネットワーク情報と同期情報（ｅ）は、アクセスゾーンに含まれるサブフレームのうち少なくとも１つを介してピコ基地局の端末に送信される。
【００５８】
図７は、本発明の一実施形態に係るアップリンクにおける送信フレームを示す図である。
図７を参照すると、アップリンクにおける送信フレームも図６を参照して説明したダウンリンクにおける送信フレームのようにコントロールゾーン及びアクセスゾーンを含む。
アクセスゾーンにおいてマクロ基地局及びピコ基地局それぞれは、対応する端末に対して受信機モードとして動作し、データ通信（アップリンク通信）を行う。
【００５９】
ただし、ダウンリンクにおける送信フレームとは異なって、アップリンクにおける送信フレームに含まれるコントロールゾーンでピコ基地局は送信機モードとして動作する。
すなわち、ピコ基地局は、コントロールメッセージ（ｃ）の形態で制御情報をマクロ基地局に送信する。
このとき、コントロールメッセージ（ｃ）の形態を有する制御情報は、ピコセルによって使用される共有リソースに関する情報を含んでもよい。
【００６０】
図８は、本発明の一実施形態に係る送信フレームを示す図であり、マクロセル専用リソース及び共有リソースが調整される時に用いられる送信フレームを示す図である。
図８を参照すると、コントロールゾーンは、２番目のサブフレーム、７番目のサブフレームに表れる。すなわち、コントロールゾーンは送信フレーム内で５個のサブフレームごとに周期的に表れる。
【００６１】
ダウンリンクのアクセスゾーンにおいて、マクロ基地局はマクロセルのＭＡＰ情報（ａ）を該当端末に送信する。
また、ダウンリンクのコントロールゾーンにおいて、マクロ基地局はマクロセルのＭＡＰ情報（ａ）、マクロセルのネットワーク情報と同期情報（ｂ）、コントロールメッセージ（ｃ）を送信する。
【００６２】
また、ダウンリンクのアクセスゾーンにおいて、ピコ基地局は該当端末に割り当てられた共有リソースに対するＭＡＰ情報（ｄ）を送信するだけではなく、ピコ基地局は、４番目のサブフレーム及び９番目のサブフレームでピコセルのネットワーク情報と同期情報（ｅ）を追加的に送信する。
【００６３】
また、ダウンリンクのコントロールゾーンにおいて、ピコ基地局は受信機モードとして動作する。
すなわち、ピコ基地局は、マクロセルのコントロールメッセージ（ｃ）を用いて共有リソースに対するマクロセルの使用計画を把握することができる。
【００６４】
マクロ基地局が３番目〜６番目のサブフレームでマクロセル専用リソースＡ及び共有リソース（Ｂ＋Ｃ）を変更する場合、マクロ基地局は、３番目〜６番目のサブフレームの共有リソースＢに対する使用計画に関連する情報を含んでいるコントロールメッセージ（ｃ）を生成する。
そして、マクロ基地局は、生成されたコントロールメッセージ（ｃ）をピコ基地局に送信し、ピコ基地局はコントロールメッセージ（ｃ）に基づいて、３番目〜６番目のサブフレームの共有リソースＢに対するマクロセルの使用計画を把握する。
そして、ピコ基地局は、共有リソースＢに対するマクロセルの使用計画に基づいて３番目〜６番目のサブフレームのために共有リソース（Ｂ）又は共有リソース（Ｃ）を端末に割り当てる。
【００６５】
同様に、マクロ基地局が８番目〜１１番目のサブフレームでマクロセル専用リソースＡ及び共有リソース（Ｂ＋Ｃ）を変更する場合、マクロ基地局は、８番目〜１１番目のサブフレームの共有リソースＢに対する使用計画に関連する情報を含んでいるコントロールメッセージ（ｃ）を生成する。
そして、マクロ基地局は、生成されたコントロールメッセージ（ｃ）を７番目のサブフレームであるコントロールゾーンでピコ基地局に送信し、ピコ基地局はコントロールメッセージ（ｃ）に基づいて、８番目〜１１番目のサブフレームの共有リソースＢに対するマクロセルの使用計画を把握する。
そして、ピコ基地局は、共有リソースＢに対するマクロセルの使用計画に基づいて８番目〜１１番目のサブフレームのために共有リソース（Ｂ）又は共有リソース（Ｃ）を端末に割り当てる。
【００６６】
図６〜図８に関連して説明された送信フレームは、様々な通信装置によって使用され得る。
ここで、通信装置は、基地局、中継局、移動端末、固定端末、多様な種類のコントローラ、及びこれらの組み合わせなどを含む。
【００６７】
本発明の実施形態に係る方法は、多様なコンピュータ手段を介して様々な処理を実行することができるプログラム命令の形態で実現され、コンピュータ読取可能な記録媒体に記録されてもよい。
コンピュータ読取可能な媒体は、プログラム命令、データファイル、データ構造などのうちの１つまたはその組み合わせを含んでもよい。
媒体に記録されるプログラム命令は、本発明の目的のために特別に設計されて構成されたものでもよく、コンピュータソフトウェア分野の技術を有する当業者にとって公知のものであり、使用可能なものであってもよい。
【００６８】
コンピュータ読取可能な記録媒体の例としては、ハードディスク、フロッピー（登録商標）ディスク、及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を保存して実行するように特別に構成されたハードウェア装置が含まれる。プログラム命令の例としては、コンパイラによって生成されるような機械語コード（ｍａｃｈｉｎｅ  ｃｏｄｅ）だけでなく、インタプリタなどを用いてコンピュータによって実行され得る高級言語コード（ｈｉｇｈｅｒ  ｌｅｖｅｌ  ｃｏｄｅ）を含む。
上述したハードウェア装置は、本発明の動作を行うために１つ以上のソフトウェアのレイヤで動作するように構成されてもよい。
【００６９】
図９は、本発明の一実施形態に係るコーディネータを示すブロック図である。
図９を参照すると、本発明の一実施形態に係るコーディネータは、認識部９１０、調整部９２０及び割当部９３０を備える。
【００７０】
認識部９１０は、マクロセルのためのマクロセル専用リソースとマクロセル及び少なくとも１つの小型セルのための共有リソースの使用率を認識する。
調整部９２０は、マクロセル専用リソース及び共有リソースの使用率に基づいてマクロセル専用リソース及び共有リソースを調整する。
割当部９３０は、マクロセル及び少なくとも１つの小型セルに調整されたマクロセル専用リソース及び共有リソースを割り当てる。
【００７１】
このとき、マクロセルが共有リソースを用いる前に、マクロセルは共有リソースに対する使用計画を少なくとも１つの小型セルに通知する。
そして、共有リソースのうち、マクロセルによって使用されるリソースが少なくとも１つの小型セルによって支配される端末に繰り返して割り当てられる場合、マクロセル及び少なくとも１つの小型セルは、発生する可能性がある干渉に備えて、送信電力制御スキーム、干渉制御スキーム、又はマルチアンテナ技術スキームのうち少なくとも１つを用いてもよい。
【００７２】
本発明の実施形態に係るコーディネータは、マクロ基地局の内部、マクロ基地局と隣接する位置に設けてもよく、マクロ基地局と離隔した位置で設置されて独立的に運用してもよい。
【００７３】
上述した端末の限定的な端末装置として、ここで開示した無線通信やネットワーク通信を行うことができる、セルラーフォンのような移動端末、ＰＤＡ（ｐｅｒｓｏｎａｌ  ｄｉｇｉｔａｌ  ａｓｓｉｓｔａｎｔ）、デジタルカメラ、ポータブルゲームコンソール、ＭＰ３プレーヤ、ＰＭＰ（ｐｏｒｔａｂｌｅ／ｐｅｒｓｏｎａｌ  ｍｕｌｔｉｍｅｄｉａ  ｐｌａｙｅｒ）、ｅ−ブック携帯端末、ポータブルラップトップＰＣ、ＧＰＳナビゲーション、デスクトップＰＣ、高解像度テレビ（ＨＤＴＶ）、光学ディスクプレーヤ、セットアップボックス、セットトップボックス、などがある。
【００７４】
上述したように、本発明を限定された実施形態と図面によって説明したが、本発明は、上記の実施形態に限定されることなく、本発明が属する分野における通常の知識を有する者であれば、このような実施形態から多様な修正及び変形が可能である。
したがって、本発明の範囲は、開示された実施形態に限定されるものではなく、特許請求の範囲だけではなく特許請求の範囲と均等なものなどによって定められるものである。
【符号の説明】
【００７５】
１１０    マクロセル
１２０、１３０    ピコセル
９１０    認識部
９２０    調整部
９３０    割当部
【図１】
0005681992.tif 000002
【図２】
0005681992.tif 000003
【図３】
0005681992.tif 000004
【図４】
0005681992.tif 000005
【図５】
0005681992.tif 000006
【図６】
0005681992.tif 000007
【図７】
0005681992.tif 000008
【図８】
0005681992.tif 000009
【図９】
0005681992.tif 000010